(57)【要約】【課題】設計の自由度を制約することなく、ピニオンギアに対するスプール軸の同芯度を確実に得て、スプール軸の摺動抵抗を軽くできる魚釣用スピニングリールを提供する。【解決手段】魚釣用スピニングリールは、ピニオンギア８の前端部の外周面に螺合するロータナット９の内周面とピニオンギア８の前端８ｅから突出するスプール軸３ａの外周面との間に介挿されてスプール軸３ａを支持することにより、ピニオンギア８とスプール軸３ａとの間に隙間ｓを形成してピニオンギア８の内周面とスプール軸３ａの外周面とを非接触状態に維持する介挿支持部材４０を備える。介挿支持部材４０は、ピニオンギア８の前端部と嵌合してピニオンギア８に対する同芯度を得るための同芯嵌合部４０ａｂを有する。【選択図】  図３
2016029949.tif 000002
【特許請求の範囲】
【請求項１】
ハンドルの回転操作により駆動されるドライブギアと噛合して回転可能にリール本体に支持されるとともに、ロータが固定されたピニオンギアと、
釣糸が巻回されるスプールが前端側に装着されるとともに、オシレート機構により前後動可能に支持されつつ前記ピニオンギア内に挿通されるスプール軸と、
を有する魚釣用スピニングリールにおいて、
前記ピニオンギアの前端部の外周面に螺合することにより前記ロータを前記ピニオンギアに固定するロータナットと、
前記ロータナットの内周面と前記ピニオンギアの前端から突出する前記スプール軸の外周面との間に介挿されて前記スプール軸を支持することにより、前記ピニオンギアと前記スプール軸との間に隙間を形成して前記ピニオンギアの内周面と前記スプール軸の外周面とを非接触状態に維持する介挿支持部材と、
を備え
前記介挿支持部材は、前記ピニオンギアの前端部と嵌合して前記ピニオンギアに対する同芯度を得るための同芯嵌合部を有することを特徴とする魚釣用スピニングリール。
【請求項２】
前記介挿支持部材が転がり軸受であり、前記同芯嵌合部が前記転がり軸受の外輪によって形成されることを特徴とする請求項１に記載の魚釣用スピニングリール。
【請求項３】
前記介挿支持部材の内周面と前記スプール軸の外周面との間に介挿されるカラー部材を更に備えることを特徴とする請求項１または請求項２に記載の魚釣用スピニングリール。
【請求項４】
前記ピニオンギアからの前記介挿支持部材の抜けを軸方向で防止するための抜け止め部を更に有することを特徴とする請求項１から３のいずれか一項に記載の魚釣用スピニングリール。
【請求項５】
前記抜け止め部が前記ロータナットにより形成されることを特徴とする請求項４に記載の魚釣用スピニングリール。
【発明の詳細な説明】
【技術分野】
【０００１】
本発明は、魚釣用スピニングリールに関し、特に、ドライブギアによって回転駆動されるピニオンギアと、釣糸が巻回されるスプールを前後往復動可能に支持するとともに前記ピニオンギア内に挿通されるスプール軸との支持構造に特徴を有する魚釣用スピニングリールに関する。
【背景技術】
【０００２】
従来、魚釣用スピニングリールは、ハンドルを回転操作することで回転駆動されるロータと、釣糸が巻回されて前後方向に往復駆動されるスプールとを備えた構成となっている。一般的に知られるように、前記ロータは、ハンドル軸に装着されたドライブギアと噛合してハンドル軸と直交する方向に回転可能に支持されたピニオンギアの前端にロータナットにより固定されることで回転駆動され、また、前記スプールを支持するスプール軸は、前記ピニオンギア内に挿通され、前記ドライブギアにより駆動されるオシレート機構（往復動装置）によって前後方向に往復駆動される。
【０００３】
したがって、前記スプール軸は、ハンドルを回転操作した際、回転駆動されているピニオンギア内に挿通された状態で往復駆動されることになる。そのため、スプールに大きな負荷が作用してスプール軸が撓むと、ピニオンギアの内面とスプール軸との接触圧が大きくなり、それにより、スプール軸の摺動抵抗が増大して、ハンドルの回転操作が重くなってしまう。
【０００４】
そこで、例えば、特許文献１では、ピニオンギアの内周面とスプール軸の外周面との間にころがり部材を介挿して、ピニオンギアの内周面にスプール軸をころがり案内支持することで前述した問題に対処している。
【０００５】
また、特許文献２には、ピニオンギアの前端部の外周面に螺合されるロータナットの内周面とピニオンギアの前端部から突出するスプール軸の外周面との間に介挿される転がり軸受によってスプール軸の前端側を支持するとともに、ピニオンギアの後部に設けられる軸受によりスプール軸の後端側を支持することにより、ピニオンギアの内周面とスプール軸の外周面とを非接触状態にする構成が開示されている。
【先行技術文献】
【特許文献】
【０００６】
【特許文献１】実開平６−１１４６９号公報
【特許文献２】特開２００６−３３３７０５号公報
【発明の概要】
【発明が解決しようとする課題】
【０００７】
しかしながら、特許文献１に開示されるスプール軸の支持構造では、ピニオンギアの内周とスプール軸の外周との間に介在するころがり部材のころがり案内となるため、ピニオンギアおよびスプール軸の硬度、耐久性が必要となり、材質が限定的となって設計の自由度が制約されるとともに、前後方向にころがり案内するためのスペースが必要となり、寸法、形状等の制約が必要となる。
【０００８】
また、特許文献２に開示されるスプール軸の支持構造では、ピニオンギアの前端部の外周面に螺合されるロータナットの内周面とピニオンギアの前端部から突出するスプール軸の外周面との間に転がり軸受が介挿されるため、ロータナットが螺合するピニオンギアの外周面の雄ネジによってロータナットの位置が決まってしまい、そのため、ピニオンギアと転がり軸受との同芯度が出難く、したがって、ピニオンギアに対するスプール軸の同芯度が出難い。その結果、転がり軸受内で前後に摺動するスプール軸の摩擦抵抗が大きくなって摺動性に支障をきたし、スプール軸（スプール）を滑らかに精度良く前後動させることができない可能性がある。
【０００９】
本発明は、上記した問題に着目してなされたものであり、設計の自由度を制約することなく、ピニオンギアに対するスプール軸の同芯度を確実に得て、スプール軸の摺動抵抗を軽くできる魚釣用スピニングリールを提供することを目的とする。
【課題を解決するための手段】
【００１０】
上記した目的を達成するために、本発明は、ハンドルの回転操作により駆動されるドライブギアと噛合して回転可能にリール本体に支持されるとともに、ロータが固定されたピニオンギアと、釣糸が巻回されるスプールが前端側に装着されるとともに、オシレート機構により前後動可能に支持されつつ前記ピニオンギア内に挿通されるスプール軸とを有する魚釣用スピニングリールにおいて、前記ピニオンギアの前端部の外周面に螺合することにより前記ロータを前記ピニオンギアに固定するロータナットと、前記ロータナットの内周面と前記ピニオンギアの前端から突出する前記スプール軸の外周面との間に介挿されて前記スプール軸を支持することにより、前記ピニオンギアと前記スプール軸との間に隙間を形成して前記ピニオンギアの内周面と前記スプール軸の外周面とを非接触状態に維持する介挿支持部材とを備え、前記介挿支持部材は、前記ピニオンギアの前端部と嵌合して前記ピニオンギアに対する同芯度を得るための同芯嵌合部を有することを特徴とする。
【００１１】
上記した構成の魚釣用スピニングリールによれば、スプール軸は、介挿支持部材により、その外周面がピニオンギアの内周面と接触することなく前後動可能に支持されるため、その前後動の際の摺動抵抗が軽く、したがって、ハンドルの回転操作も軽い。また、スプールに大きな負荷が作用してスプール軸が撓んでも、介挿支持部材によってスプール軸とピニオンギアとの間に形成される隙間により、スプール軸とピニオンギアとの接触を回避できる。
【００１２】
また、上記した構成の魚釣用スピニングリールにおいて、介挿支持部材は、ピニオンギアの内周面とスプール軸の外周面との間ではなく、ピニオンギアの前端部の外周面に螺合するロータナットの内周面とピニオンギアの前端から突出するスプール軸の外周面との間に介挿されているため、ピニオンギアの内外径寸法の増大（したがって、リールの大型化および重量増）を最小限に抑えつつスプール軸の摺動抵抗を軽くすることができ、また、十分な大きさ及び強度の介挿支持部材を使用できるため、強度低下を招くことがない（必要な定格荷重を満たすことができる）。また、ピニオンギアの内周とスプール軸の外周との間に介在するころがり部材のころがり案内でもないため、設計の自由度が制約されることもない。
【００１３】
更に、上記した構成の魚釣用スピニングリールにおいて、介挿支持部材は、ピニオンギアの前端部と嵌合してピニオンギアに対する同芯度を得るための同芯嵌合部を有するため、介挿支持部材によって支持されるスプール軸のピニオンギアに対する同芯度を確実に得ることができる。したがって、ピニオンギアが安定した状態で回転することができ、これにより、ピニオンギアに挿通されるスプール軸も不必要な摩擦抵抗を受けることなく安定して精度良く前後動することが可能となる。また、介挿支持部材が他の中間部材を介在させることなく同芯嵌合部によりピニオンギアに対して直接に嵌合されるため、中間部材の寸法誤差の累積によって同芯精度を低下させずに済む。
【００１４】
なお、上記構成において、介挿支持部材の同芯嵌合部は、ピニオンギアに対する同芯度を得ることさえできれば、その嵌合断面の形状が任意である。すなわち介挿支持部材の同芯嵌合部とピニオンギアの対応する嵌合部との嵌合は、円形（真円）断面同士の嵌合により成されてもよく、あるいは、少なくとも一部に円弧を有する略円形またはそれ以外の断面同士の嵌合により成されてもよい。
【発明の効果】
【００１５】
本発明によれば、設計の自由度を制約することなく、ピニオンギアに対するスプール軸の同芯度を確実に得て、スプール軸の摺動抵抗を軽くできる魚釣用スピニングリールを提供できる。
【図面の簡単な説明】
【００１６】
【図１】本発明の第１の実施形態に係る魚釣用スピニングリールの一部断面を有する側面図である。
【図２】（ａ）は図１の要部拡大図、（ｂ）は（ａ）のＡ−Ａ線に沿う断面図である。
【図３】図２の（ａ）のＰ部の拡大断面図である。
【図４】（ａ）は本発明の第２の実施形態に係る魚釣用スピニングリールの一部断面を有する要部拡大図、（ｂ）は（ａ）のＢ−Ｂ線に沿う断面図である。
【図５】図４の（ａ）のＱ部の拡大断面図である。
【図６】（ａ）は本発明の第３の実施形態に係る魚釣用スピニングリールの一部断面を有する要部拡大図、（ｂ）は（ａ）のＣ−Ｃ線に沿う断面図である。
【図７】図６の（ａ）のＲ部の拡大断面図である。
【図８】本発明の第４の実施形態に係る魚釣用スピニングリールの要部拡大断面図である。
【発明を実施するための形態】
【００１７】
以下、本発明に係る魚釣用スピニングリールの実施形態について図面を参照しながら具体的に説明する。
【００１８】
図１〜図３は本発明の第１の実施形態を示している。図１に示されるように、本実施形態に係る魚釣用スピニングリールのリール本体１には、釣竿に装着されるリール脚１ａが一体形成されており、その前方には、回転可能に支持されたロータ２と、ロータ２の回転運動と同期して前後動可能に支持されたスプール（釣糸が巻回される）３とが配設されている。
【００１９】
リール本体１内には、ハンドル軸５ａが回転可能に支持されており、その突出端部には、ハンドル５が回転操作可能に取り付けられている。また、ハンドル軸５ａには、巻取り駆動機構が係合しており、この巻取り駆動機構は、ハンドル軸５ａに取り付けられ、内歯が形成されたドライブギア（駆動歯車）７と、このドライブギア７に噛合すると共にハンドル軸５ａと直交する方向に延出し、内部に軸方向に延出する空洞部８ａが形成されたピニオンギア８とを備えている。なお、ピニオンギア８は、その後端側に歯部８ｂが形成されており、この歯部８ｂがドライブギア７と噛合される。
【００２０】
ピニオンギア８の前端部の外周面には雄螺子部８ｃが形成されており、ロータ２の中心孔をピニオンギア８の前端部に嵌合し、この部分で雄螺子部８ｃにロータナット９の内周面に形成される雌螺子部９ａを螺合することによりロータ２がピニオンギア８に対して締め付け固定される。この場合、ロータ２は、非円形断面の嵌合部２ｂでピニオンギア８の外周面（非円形）に回り止め嵌合される。
【００２１】
本実施形態のピニオンギア８は、その歯部８ｂとドライブギア７との噛合部位よりも前方（スプール３側）の２箇所で軸受１０ａ，１０ｂを介してリール本体１に回転可能に支持されており、その空洞部８ａには、ハンドル軸５ａと直交する方向に延出し、前端側にスプール３を装着したスプール軸３ａが軸方向に移動可能に挿通されている。この場合、ピニオンギア８の中間領域の外周には、公知の一方向クラッチ１１が配設されており、リール本体１の後方に回動可能に支持された切換レバー１１ａを切換操作することで、ピニオンギア８（ロータ２）の回転状態を切り換え可能にしている（両方向の回転状態／釣糸巻き取り方向のみの回転状態を切り換える）。なお、前方側の軸受１０ａは、ピニオンギア８に対して回り止めされる一方向クラッチ１１の内輪１１ｂとリール本体１との間に介挿され、後方側の軸受１０ｂは、ピニオンギア８の歯部８ｂとドライブギア７との噛合部位の近傍にワッシャ１０ｃを介して設置される。
【００２２】
ピニオンギア８には、スプール３（スプール軸３ａ）を前後往復動させるための往復動装置（オシレート機構）１２が係合している。
本実施形態の往復動装置１２は、リール本体１内に回転可能に支持され、スプール軸３ａと平行に延在する螺軸（ウォームシャフト）１３と、スプール軸３ａの後端部に固定される摺動体（オシレーティングスライダ）１５とを備えている。螺軸１３の前端部には、ピニオンギア８と噛合するオシレートギア１６が設けられており、螺軸１３は、ハンドル５を回転操作することにより、ドライブギア７、ピニオンギア８、および、オシレートギア１６を介して回転駆動されるようになっている。
【００２３】
螺軸１３の外周面には、軸方向に沿って螺旋状のカム溝１３ａが形成されており、このカム溝１３ａに、摺動体１５に収容保持された係合ピン１８の係合爪（図示せず）が係合されている。
【００２４】
摺動体１５は、円筒状の収容孔を有する本体１５Ａを備えており、この本体１５Ａがスプール軸３ａの後端部に取り付けられて、スプール軸３ａの後端が支持された状態となっている。この場合、スプール軸３ａの後端部分には、断面が非円形でハンドル軸の軸方向と直交する平坦面が形成されており、この平坦面に対して、抜け止め部材（プレート）２０が当て付けられて、ハンドル軸方向から止めネジ２１が螺入されることで、スプール軸３ａは摺動体１５に対して回り止め固定されている。
【００２５】
摺動体１５の本体１５Ａの円筒状の前記収容孔内には、円柱状に構成された係合ピン１８が収容保持されており、その一端側（先端部）には、螺軸１３のカム溝１３ａに係合される前記係合爪が形成されている。また、係合ピンの他端側は抜け止め部材２０に当て付いて抜け止め保持されている。なお、摺動体１５（本体１５Ａ）は、螺軸１３と平行に延びてリール本体１の前後部に架設されたガイド２３（１本または２本）により回り止めされつつ前後方向に移動可能に案内支持されている。
【００２６】
図２および図３に明確に示されるように、ピニオンギア８の前端８ｅから突出するスプール軸３ａの突出端部は、ロータナット９とスプール軸３ａとの間に介挿される介挿支持部材４０によって支持される。具体的には、この介挿支持部材４０は、外輪４０ａと、内輪４０ｂと、外輪４０ａと内輪４０ｂとの間に転動自在に保持される複数の転動体４０ｃとを有する転がり軸受として構成されており、筒状のロータナット９の内周面とピニオンギア８の前端８ｅから突出するスプール軸３ａの外周面との間に介挿されてスプール軸３ａを支持することにより、ピニオンギア８とスプール軸３ａとの間に隙間ｓを形成してピニオンギア８の内周面とスプール軸３ａの外周面とを非接触状態に維持する。なお、前述したように、ピニオンギア８の後端から突出するスプール軸３ａの後端側は、往復動装置１２の摺動体１５により支持される。あるいは、ピニオンギア８の歯部８ｂの後方において、リール本体１に形成する支持部でスプール軸３ａの外周を支持するようにしてもよい。
【００２７】
特に、本実施形態では、介挿支持部材４０の内周面（転がり軸受４０の内輪４０ｂの内周面）とスプール軸３ａの外周面との間に合成樹脂または金属から成る環状のカラー部材４２が介挿されており、このカラー部材４２の外周面と、スプール軸３ａへ向けて径方向内側に環状に突出するロータナット９の環状突出部９ｂの内周面との間に介挿支持部材４０が介挿される。なお、カラー部材４２は、前述したように金属または樹脂材で形成され、摺動性の向上を図るとともに、径寸法および軸方向長が規格化されている転がり軸受（ボールベアリング）をリールの構成部の支持部材として採用するに際しての設計の自由度の向上も図っている。
【００２８】
また、介挿支持部材４０は、ピニオンギア８の前端部の外周面と嵌合してピニオンギア８に対する同芯度を得るための同芯嵌合部４０ａｂを有する。具体的には、この同芯嵌合部４０ａｂは、介挿支持部材である転がり軸受４０の外輪４０ａによって形成される。すなわち、本実施形態では、転がり軸受４０の外輪４０ａを内輪４０ｂよりも軸方向に長く延出させて円環状の同芯嵌合部４０ａｂを形成するとともに、ピニオンギア８の雄螺子部８ｃの前端からそれよりも小径の突出嵌合部８ｄを段差部８ｆを介して前方へ向けて軸方向に突出して設けることにより、同芯嵌合部４０ａｂが雄螺子部８ｃの前方でピニオンギア８の外周面と嵌合できる隙間ｃをロータナット９の内周面とピニオンギア８の突出嵌合部８ｄとの間に形成するようにしている。
【００２９】
この場合、同芯嵌合部４０ａｂは、円形断面を成しており、段差部８ｆの端面に当接するようにその円形の内周面がピニオンギア８の円形断面を成す突出嵌合部８ｄの外周面に対して同芯的に嵌合する。つまり、スプール軸３ａは、ピニオンギア８と同芯的な介挿支持部材（転がり軸受４０）を介して支持されることにより、ピニオンギア８に対する同芯度が確保される。
【００３０】
また、本実施形態の魚釣用スピニングリールは、ピニオンギア８からの介挿支持部材４０の抜けを軸方向で防止するための抜け止め部を更に有する。具体的には、本実施形態において、この抜け止め部は、ロータナット９により形成される。すなわち、本実施形態では、ロータナット９の環状突出部９ｂの前端部を径方向内側に突出させて抜け止め当接部９ｃを形成し、ピニオンギア８の突出嵌合部８ｄに嵌合する介挿支持部材としての転がり軸受４０の外輪４０ａの前端縁に抜け止め当接部９ｃを当て付けることにより、ピニオンギア８からの介挿支持部材４０の抜けを軸方向で防止している。なお、抜け止め当接部９ｃまたは段差部８ｆと外輪４０ａの端面との間に弾性材を介在させると、抜け止め装着状態の安定化の面で好ましい。
【００３１】
また、本実施形態の魚釣用スピニングリールは、ロータナット９の回り止め部材５２も有する。この回り止め部材５２は、例えばロータナット９の外周面と非円形の嵌合部により嵌合することでピニオンギア８との締結後のロータナット９の回転を防止するとともに、ネジ５０を介してロータ２に取り付け固定される。
【００３２】
また、本実施形態において、ピニオンギア８を回転可能に支持する前方側の軸受１０ａは、ピニオン軸８側（本実施形態では、一方向クラッチ１１の内輪１１ｂ側）に回転可能に嵌合される内輪６２と、リール本体１の被嵌合部位１ｂに嵌合される外輪６０と、これら内外輪６０，６２間に配設される多数の転動体６３とを備えており、リール本体１の内部フレーム１ａの壁部７９，７８間に挟まれた状態で組み込まれる。そして、外輪６０とリール本体１の被嵌合部位１ｂとの間、および、内輪６２と一方向クラッチ１１の内輪１１ｂとの間には、弾性部材（または軟質部材）によるＯリング７２，７４が配設されている。この場合、各Ｏリング７２，７４は、その装着状態が安定するように、介在部分に溝を形成して装着されており、本実施形態では、内輪６２の軸方向のほぼ中央部分と対向して一方向クラッチ１１の内輪１１ｂの外周面に円周溝７５を形成するとともに、外輪６０の軸方向の端縁部分と対向してリール本体１の被嵌合部位１ｂにテーパ溝７０を形成し、これらの溝７０，７５にＯリング７２，７４を取着している。
【００３３】
この場合、各溝７０，７５の深さは、夫々に取着されるＯリング７２，７４の径よりも僅かに小さく形成されると共に、各溝の開口幅は、夫々に取着されるＯリング７２，７４の径よりも僅かに大きく形成されており、各Ｏリング７２，７４を溝７０，７５内に取着すると、各Ｏリング７２，７４は、溝７０，７５から僅かに突出すると共に、溝７０，７５内で軸方向に沿って変形できるようになっている。
【００３４】
このため、各溝７０，７５にＯリング７２，７４を取着した状態で軸受１０ａを軸方向に沿ってリール本体１に嵌め込むと、Ｏリング７２，７４は、軸方向に変形しながら潰れることができ、この結果、外輪６０とリール本体１の被嵌合部位１ｂとの間、および、内輪６２と一方向クラッチ１１の内輪１１ｂとの間で確実なシールが実現される。
【００３５】
軸受１０ａの内輪６２には、一方向クラッチ１１の内輪１１ｂが僅かな嵌合遊度をもって嵌合されており、Ｏリング７４を介在することで嵌合遊度（ガタ）が吸収される。また、軸受１０ａの外輪６０についても、リール本体１の被嵌合部位１ｂに対して僅かな嵌合遊度をもって嵌合されており、Ｏリング７２を介在することで嵌合遊度（ガタ）が吸収されている。すなわち、軸受１０ａの内外輪６０，６２の内外周面にそれぞれＯリング７２，７４を設置するという簡易な構成で、長期に亘ってシール機能の維持が図れるようになる。
【００３６】
以上のような軸受１０ａの構造は、Ｏリング７２，７４の予圧により、部材同士が調心されて、回転フィーリングが安定および向上するため、有益である。すなわち、通常の軸受組み付け構造では、軸受の内外周に組み込みのためのクリアランスがあり、そのため、組み付けられた軸受が部品荷重によって一方向に偏る可能性がある。したがって、リールの向きを変えたり、ハンドルやスプールなどを好みで重量が違うものに取り換えた際に、軸受の偏り方向や偏り度合いが変わり、軸受により支持される回転部材の回転フィーリングが変化する場合がある。このような不具合を回避するために、軸受の組み込みクリアランスを無くして絞まり嵌めの組み付け設定にすることも考えられるが、その場合には、分解および組み立てが困難になってしまう。しかしながら、上記したような軸受１０ａのＯリング介挿構造を採用すると、絞まり嵌めの組み付け設定にする必要なく、前述したクリアランスを伴う場合であっても、部材同士が調心されて、回転フィーリングが安定および向上する。また、装着したＯリング（または軟質部材）７２，７４がダンパーとして働いて、ギアノイズや転がり軸受自体の転がりノイズを手や耳に感じ難くさせる効果もある。
【００３７】
なお、上記構成において、Ｏリングは軸受１０ａの内輪６２側または外輪６０側の一方だけに設けられてもよい。また、軸受１０ａのこのような構造は、他の転がり軸受または他のタイプの軸受にも適用できる。
【００３８】
以上説明したように、本実施形態の魚釣用スピニングリールによれば、スプール軸３ａは、介挿支持部材４０により、その外周面がピニオンギア８の内周面と接触することなく前後動可能に支持されるため、その前後動の際の摺動抵抗が軽く、したがって、ハンドル５の回転操作も軽い。また、スプール３に大きな負荷が作用してスプール軸３ａが撓んでも、介挿支持部材４０によってスプール軸３ａとピニオンギア８との間に形成される隙間ｓにより、スプール軸３ａとピニオンギア８との接触を回避できる。
【００３９】
また、本実施形態の魚釣用スピニングリールにおいて、介挿支持部材４０は、ピニオンギア８の内周面とスプール軸３ａの外周面との間ではなく、ピニオンギア８の前端部の外周面に螺合するロータナット９の内周面とピニオンギア８の前端８ｅから突出するスプール軸３ａの外周面との間に介挿されているため、ピニオンギア８の内外径寸法の増大（したがって、リールの大型化および重量増）を最小限に抑えつつスプール軸３ａの摺動抵抗を軽くすることができ、また、十分な大きさ及び強度の介挿支持部材４０を使用できるため、強度低下を招くことがない（必要な定格荷重を満たすことができる）。
【００４０】
更に、本実施形態の魚釣用スピニングリールにおいて、介挿支持部材４０は、ピニオンギア８の前端部と嵌合してピニオンギア８に対する同芯度を得るための同芯嵌合部４０ａｂを有するため、介挿支持部材４０によって支持されるスプール軸３ａのピニオンギア８に対する同芯度を確実に得ることができる。したがって、ピニオンギア８が安定した状態で回転することができ、これにより、ピニオンギア８に挿通されるスプール軸３ａも不必要な摺動抵抗を受けることなく安定して精度良く前後動することが可能となる。また、介挿支持部材４０が他の中間部材を介在させることなく同芯嵌合部４０ａｂによりピニオンギア８に対して直接に嵌合されるため、中間部材の寸法誤差の累積によって同芯精度を低下させずに済む。
【００４１】
図４および図５は本発明の第２の実施形態を示している。図示のように、本実施形態では、ピニオンギア８の前端８ｅから突出するスプール軸３ａの突出端部とロータナット９との間に介挿される介挿支持部材が転がり軸受ではなく滑り軸受（例えば、合成樹脂製のブシュ部材またはカラー部材）４５によって形成される。また、本実施形態では、第１の実施形態のようにロータナット９に環状突出部９ｂが設けられず、また、カラー部材４２も設けられず、介挿支持部材としての滑り軸受４５は、ロータナット９の内周面とピニオンギア８の前端８ｅから突出するスプール軸３ａの外周面との間に直接に介挿されて、ロータナット９の内周面とピニオンギア８の突出嵌合部８ｄとの間に形成される第１の実施形態の隙間ｃを完全に埋めるようにピニオンギア８側に向けて軸方向に突出するその同芯嵌合部４５ａがピニオンギア８の突出嵌合部８ｄと同芯的に嵌合する。この場合も、同芯嵌合部４５ａは、円形断面を成しており、ピニオンギア８の段差部８ｆの端面に当接するようにその円形の内周面がピニオンギア８の円形断面を成す突出嵌合部８ｄの外周面に対して同芯的に嵌合する。なお、それ以外の構成は第１の実施形態と同じである。したがって、このような構成でも、第１の実施形態と同様の作用効果を得ることができるとともに、介挿支持部材の構造が簡略化される。
【００４２】
図６および図７は本発明の第３の実施形態を示している。図示のように、本実施形態は、第１の実施形態の変形例であり、介挿支持部材としての転がり軸受４０の外輪４０ａを内輪４０ｂよりも軸方向に長く延出させずに、外輪４０ａと内輪４０ｂとを同じ軸方向寸法とし、同芯嵌合部４０ａｂとしての外輪４０ａの円形断面の端縁部をピニオンギア８の円形断面を成す突出嵌合部８ｄの外周面に同芯的に嵌合させている。
【００４３】
また、本実施形態では、介挿支持部材４０の内周面とスプール軸３ａの外周面との間に介挿されるカラー部材４２が、ピニオンギア８の前端部の内周面８ｇと同芯的に嵌合する嵌合部４２ａを有する。この嵌合部４２ａも、同芯嵌合部４０ａｂと同様に、円形断面を成しており、その円形の外周面がピニオンギア８の円形断面を成す前端部の内周面に対して同芯的に嵌合する。
【００４４】
また、本実施形態では、ピニオンギア８からの介挿支持部材４０の抜けを軸方向で防止するための抜け止め部が、ロータナット９ではなく、ロータナット８に係着される別部材によって形成される。具体的には、本実施形態では、ロータナット９の前端面にこれと当接するように取り付けられる抜け止め部材９０が設けられる。この抜け止め部材９０は、その径方向外側端部が略Ｌ字型に屈曲されるとともに、その屈曲端部９０ｂがロータナット９の外面の係止溝９ｄに係止することによりロータナット９に取り付けられる。また、抜け止め部材９０は、その径方向内側端部９０ａがピニオンギア８の突出嵌合部８ｄに嵌合する介挿支持部材としての転がり軸受４０の外輪４０ａの前端縁に当て付くことにより、ピニオンギア８からの介挿支持部材４０の抜けを軸方向で防止する。なお、前述した実施形態のように、ロータナット９に、直接、抜け止め当接部９ｃを形成してもよい。
【００４５】
本実施形態のこのような構成によれば、介挿支持部材４０の同芯嵌合部４０ａｂとカラー部材４２の嵌合部４２ａとの両者によってピニオンギア８に対するスプール軸３ａの同芯度が確保されるため、同芯度の精度が向上される。
【００４６】
図８は本発明の第４の実施形態を示している。図示のように、本実施形態も第１の実施形態の変形例であり、第３の実施形態と同様に、介挿支持部材としての転がり軸受４０の外輪４０ａを内輪４０ｂよりも軸方向に長く延出させずに、外輪４０ａと内輪４０ｂとを同じ軸方向寸法として、外輪４０ａの円形断面の端縁部を同芯嵌合部４０ａｂとするが、本実施形態では、同芯嵌合部４０ａｂとしての外輪４０ａの円形断面の端縁部（端縁部の外周面）がピニオンギア８の円形断面を成す突出嵌合部８ｄの内周面８ｈに同芯的に嵌合されている。言い換えると、介挿支持部材としての転がり軸受４０は、ロータナット９の内周面とピニオンギア８の前端から突出するスプール軸３ａの外周面との間に介挿された状態でピニオンギア８とスプール軸３ａとの間にも介挿された配置形態となっている。なお、それ以外の構成は第１の実施形態と同じである。したがって、この構成によっても第１の実施形態と同様の作用効果を得ることができる。
【００４７】
以上、本発明の実施形態について説明したが、本発明は、上記した実施形態に限定されることはなく、種々変形することが可能である。例えば、上記した実施形態では、介挿支持部材が転がり軸受または滑り軸受であったが、介挿支持部材は、スプール軸とピニオンギアとの間に隙間を形成するべくロータナットとスプール軸との間に介挿されてピニオンギアに対する同芯度を得るものであれば、どのような部材であっても構わない。また、介挿支持部材の同芯嵌合部は、ピニオンギアに対する同芯度を得ることさえできれば、その嵌合断面の形状が任意である。すなわち介挿支持部材の同芯嵌合部とピニオンギアの対応する嵌合部との嵌合は、円形（真円）断面同士の嵌合により成されてもよく、あるいは、少なくとも一部に円弧を有する略円形またはそれ以外の断面同士の嵌合により成されてもよい。
【符号の説明】
【００４８】
１  リール本体
２  ロータ
３  スプール
３ａ  スプール軸
７  ドライブギア
８  ピニオンギア
９  ロータナット
９ｃ  抜け止め当接部（抜け止め部）
１２  オシレート機構
４０  介挿支持部材（転がり軸受）
４０ａ  外輪
４０ａｂ  同芯嵌合部
４２  カラー部材
４２ａ  嵌合部
４５  介挿支持部材（滑り軸受）
４５ａ  同芯嵌合部
９０  抜け止め部材
【図１】
2016029949.tif 000003
【図２】
2016029949.tif 000004
【図３】
2016029949.tif 000005
【図４】
2016029949.tif 000006
【図５】
2016029949.tif 000007
【図６】
2016029949.tif 000008
【図７】
2016029949.tif 000009
【図８】
2016029949.tif 000010